(57)【要約】【課題】パークゴルフ用クラブヘッドからシャフトが抜けることを確実に防止でき、かつクラブヘッドのフェースの耐久性を向上させることができると共に、ユーザーの要望に応じてシャフトの交換が可能なパークゴルフ用クラブの提供。【解決手段】パークゴルフ用クラブヘッド本体と、該クラブへッド本体に設けられたシャフト取付穴に挿着されるシャフトとを備えたパークゴルフ用クラブにおいて、前記シャフト取付穴がパークゴルフ用クラブヘッド本体の底面まで貫通する管状に形成されると共に、該管状のシャフト取付穴にシャフトが挿着されているパークゴルフ用クラブである。前記管状のシャフト取付穴が、４０ｍｍを超える長さである態様、前記管状のシャフト取付穴にシャフトの先端が露出した状態で挿着されている態様、などが好ましい。【選択図】  図１
2004159915.tif 000002
【特許請求の範囲】
【請求項１】
パークゴルフ用クラブヘッド本体と、該クラブへッド本体に設けられたシャフト取付穴に挿着されるシャフトとを備えたパークゴルフ用クラブにおいて、前記シャフト取付穴がパークゴルフ用クラブヘッド本体の底面まで貫通する管状に形成されると共に、該管状のシャフト取付穴にシャフトが挿着されていることを特徴とするパークゴルフ用クラブ。
【請求項２】
前記管状のシャフト取付穴が、４０ｍｍを超える長さである請求項１に記載のパークゴルフ用クラブ。
【請求項３】
前記管状のシャフト取付穴にシャフトの先端が露出した状態で挿着されている請求項１又は２に記載のパークゴルフ用クラブ。
【請求項４】
パークゴルフ用クラブヘッド本体の底面の少なくとも一部にソールプレートを被覆形成すると共に、該ソールプレートと、前記シャフト取付穴を構成する管状部材とが連結されている請求項１から３のいずれかに記載のパークゴルフ用クラブ。
【請求項５】
パークゴルフ用クラブヘッド本体の底面の少なくとも一部にソールプレートを被覆形成すると共に、該ソールプレートの少なくとも一部をフェース面まで延出させて延出部を形成した請求項１から３のいずれかに記載のパークゴルフ用クラブ。
【請求項６】
フェース面まで延出させた延出部を介してフェースプレートをフェース面に取り付けた請求項５に記載のパークゴルフ用クラブ。
【請求項７】
前記延出部をフェース面の中央付近まで延出させた請求項５又は６に記載のパークゴルフ用クラブ。
【請求項８】
ソールプレート及びシャフト取付穴を構成する管状部材が同じ材料を用いて形成されている請求項４から７のいずれかに記載のパークゴルフ用クラブ。
【請求項９】
ソールプレートとシャフト取付穴を構成する管状部材が異なる材料を用いて形成され、両者が連結されている請求項４から７のいずれかに記載のパークゴルフ用クラブ。
【発明の詳細な説明】
【０００１】
【発明の属する技術分野】
本発明は、パークゴルフ用クラブに関し、特に、パークゴルフ用クラブヘッドからシャフトが抜けることを確実に防止でき、かつクラブヘッドのフェースの耐久性を向上させることができると共に、ユーザーの要望に応じてシャフトの交換が可能なパークゴルフ用クラブに関する。
【０００２】
【従来の技術】
パークゴルフは、もともと公園や河川等の芝生でプレーするゴルフ類似の競技として提案されたものである。その基本ルールは、パークゴルフクラブによる競技ボールのパッティング（打出し）によって当該ボールをターゲットホールまで移動させてホールに入れることであるが、通常のゴルフとは異なり、ボールを空中に飛翔させることなく地面上を転がしてプレーする点に競技の特長がある。このため使用するボールは、通常のゴルフボールよりも外径の大きなものであって、比較的比重の高い硬質プラスチック製のもの（所謂ケイマンボール）を用いている。
【０００３】
このようなパークゴルフは、力の弱い子どもや高齢者も同一のルールで競技できること、複雑なルールを必要としないこと等の理由から、競技人口が漸次増加する傾向にある。そして、他の軽スポーツと同様、競技人口の増加に伴って、単純な娯楽スポ−ツから競技性の側面が高まると、より高性能なパークゴルフ用クラブが求められるようになってきている。
【０００４】
例えば、特許文献１には、図５，６に示したような、メタルヘッドのパークゴルフクラブが開示されている。このパークゴルフクラブは、ヘッドａに設けられた取付け孔ｃにシャフトｂを接合したものであり、ヘッドａの取付け孔ｃは深さ４０ｍｍであり、取付け孔の出口には同心の座ｅが設けられている。また、ヘッドａとシャフトｂとの接合部には樹脂ソケットｄが取付けられており、これにより、シャフトの強度を維持することができるものである。
【０００５】
しかしながら、上記提案のパークゴルフクラブでは、図６に示したように、取付け孔の深さが４０ｍｍ未満と浅いため、打撃時にヘッドからシャフトが外れてしまうというトラブルが発生する。また、シャフトを交換しようとしても、ヘッドの取付け孔とシャフトとの間の接着剤に熱を加え難いため、ヘッドからシャフトを外す際にヘッドが壊れてしまうという問題があった。
また、通常使用されている木製（パーシモン）ヘッドにおいては、木製ヘッドに直接取付け孔を設けると気温や水分により、収縮してヘッドからシャフトが抜けてしまう一方で、取付け孔を深く形成するとヘッドの強度が低下してしまうという問題がある。
【０００６】
更に、パークゴルフ用ヘッドのフェースは、規則上、ウッドの木目を露呈させなければならず、通常、ヘッドはウッド（木質材料）を用い、フェースの中央部に各種の金属系・樹脂系補強部材を配置している。このため、必ずしもゴルフクラブの設計者が想定したスイートスポット（中心部）でボールを叩くわけではない。所謂ヒールやトウ（フェースの左右両端部）でボールを叩くケースが少なくなく、これが重なるとフェース両端部に露呈しているウッド（木質部分）が破壊欠損し、或いはつぶれる（デコボコになる）ことが多いという問題があった。
【０００７】
【特許文献１】
登録実用新案第３０５７８４１号公報
【０００８】
【発明が解決しようとする課題】
本発明は、このような状況下、従来における諸問題を解決し、以下の目的を達成することを課題とする。即ち、本発明は、パークゴルフ用クラブヘッドからシャフトが抜けることを確実に防止でき、かつクラブヘッドのフェースの耐久性を向上させることができると共に、ユーザーの要望に応じてシャフトの交換が可能なパークゴルフ用クラブを提供することを目的とする。
【０００９】
【課題を解決するための手段】
前記課題を解決するため鋭意検討した結果、本発明者が、知見した解決手段としては、下記の通りである。即ち、
＜１＞  パークゴルフ用クラブヘッド本体と、該クラブへッド本体に設けられたシャフト取付穴に挿着されるシャフトとを備えたパークゴルフ用クラブにおいて、前記シャフト取付穴がパークゴルフ用クラブヘッド本体の底面まで貫通する管状に形成されると共に、該管状のシャフト取付穴にシャフトが挿着されていることを特徴とするパークゴルフ用クラブである。
＜２＞  前記管状のシャフト取付穴が、４０ｍｍを超える長さである前記＜１＞に記載のパークゴルフ用クラブである。
＜３＞  前記管状のシャフト取付穴にシャフトの先端が露出した状態で挿着されている前記＜１＞又は＜２＞に記載のパークゴルフ用クラブである。
＜４＞  パークゴルフ用クラブヘッド本体の底面の少なくとも一部にソールプレートを被覆形成すると共に、該ソールプレートと、前記シャフト取付穴を構成する管状部材とが連結されている前記＜１＞から＜３＞のいずれかに記載のパークゴルフ用クラブである。
＜５＞  パークゴルフ用クラブヘッド本体の底面の少なくとも一部にソールプレートを被覆形成すると共に、該ソールプレートの少なくとも一部をフェース面まで延出させて延出部を形成した前記＜１＞から＜３＞のいずれかに記載のパークゴルフ用クラブである。
＜６＞  フェース面まで延出させた延出部を介してフェースプレートをフェース面に取り付けた前記＜５＞に記載のパークゴルフ用クラブである。
＜７＞  前記延出部をフェース面の中央付近まで延出させた前記＜５＞又は＜６＞に記載のパークゴルフ用クラブである。
＜８＞  ソールプレート及びシャフト取付穴を構成する管状部材が同じ材料を用いて形成されている前記＜４＞から＜７＞のいずれかに記載のパークゴルフ用クラブである。
＜９＞  ソールプレートとシャフト取付穴を構成する管状部材が異なる材料を用いて形成され、両者が連結されている前記＜４＞から＜７＞のいずれかに記載のパークゴルフ用クラブである。
【００１０】
前記＜１＞から＜３＞のいずれかに記載のパークゴルフ用クラブは、前記シャフト取付穴がパークゴルフ用クラブヘッド本体の底面まで貫通する管状に形成される。該管状のシャフト取付穴は４０ｍｍを超える長さであり、該管状のシャフト取付穴からシャフトの先端が露出した状態で挿着されている。このため、シャフトとクラブが強力に接合され、従来技術に比べて有意な深さまでシャフトを挿入した状態で接合されているので、打撃時にヘッドからシャフトが外れてしまうことを確実に防止できる。また、クラブヘッド本体の底面まで貫通する管状シャフト取付穴にシャフトの先端が露出しているので、このシャフト先端部を押出して、シャフトをヘッドから引き抜くことができ、ユーザーの要望に応じてシャフトが交換可能になるという効果を奏する。
【００１１】
前記＜４＞に記載のパークゴルフ用クラブは、パークゴルフ用クラブヘッド本体の底面の少なくとも一部にソールプレートを被覆形成すると共に、該ソールプレートと、前記シャフト取付穴を構成する管状部材とが連結されている。その結果、ソールプレートとシャフト取付穴とが一体となるので、木製部がなくてもヘッドの役割を果たし得、ヘッドの耐衝撃性が向上する。
【００１２】
前記＜５＞及び＜６＞に記載のパークゴルフ用クラブは、パークゴルフ用クラブヘッド本体の底面の少なくとも一部にソールプレートを被覆形成すると共に、該ソールプレートの少なくとも一部をフェース面まで延出させて延出部を形成し、この延出部を介してフェースプレートをフェース面に取り付ける。その結果、ヘッドの強度が向上すると共に、この延出部の働きにより、フェース面の耐久性が向上する。
【００１３】
【発明の実施の形態及び実施例】
以下、本発明について図面を参照して更に詳しく説明する。
図１は、本発明に係るパークゴルフ用クラブの一実施形態を示す斜視図である。図２は、パークゴルフ用クラブのヘッド部分の概略断面図、図３は、パークゴルフ用クラブのヘッド部分の正面図、図４は、パークゴルフ用クラブのヘッド部分の底面図をそれぞれ示す。
【００１４】
図１，３においては、ヘッドフェース面からフェースプレートを外した状態を示している。なお、フェース面２には、図示を省略しているが、窓部（開口部）が形成されており、この窓部を通して木質部（ウッド）の木質面が露呈するように形成されている。
【００１５】
本発明のパークゴルフ用クラブ１０は、図１に示したように、パークゴルフ用クラブヘッド本体１と、該クラブヘッド本体１に取付けられたシャフト３とを備えている。
前記クラブヘッド本体１には、図２に示したように、シャフト取付穴５が、パークゴルフ用クラブヘッド本体１の底面まで貫通する管状に形成されている。
前記管状のシャフト取付穴５は、４０ｍｍを超える長さ（深さ）であることが好ましく、５０ｍｍ以上がより好ましく、５５ｍｍ以上が更に好ましい。なお、管状のシャフト取付穴の長さ（深さ）は、特に制限されないが、１００ｍｍ未満が好ましい。
前記管状のシャフト取付穴５の長さが４０ｍｍより短い場合には、従来技術と差異がなくなり、また、打撃時にヘッドからシャフトが外れてしまうというトラブルが生じてしまうおそれがある。
なお、管状のシャフト取付穴５を取り囲むようにして木質部４が形成されている。前記木質部４としては、例えば、パーシモンなどが好ましい。
【００１６】
前記管状のシャフト取付穴５にシャフト３の先端が露出した状態で挿着される。即ち、図４の底面図で示したように、ヘッド本体の底面に開口したシャフト取付穴５にシャフト３が挿入され、その先端が見える状態（露出した状態）で挿着されている。ヘッドとシャフトとの接合性が向上すると共に、クラブヘッド本体の底面まで貫通する管状シャフト取付穴にシャフトの先端が露出しているので、このシャフト先端部を押出して、シャフトをヘッドから引き抜くことができる。これにより、ユーザーの要望に応じてシャフトが交換可能になる。なお、図示を省略しているが、シャフト取付け孔の出口には同心の座を設けることができる。
【００１７】
図２に示したように、前記パークゴルフ用クラブヘッド本体１の底面の少なくとも一部、好ましくはシャフト取付穴５部分を除いたヘッド底面全体にソールプレート７を被覆形成すると共に、該ソールプレート７と、前記シャフト取付穴５を構成する管状部材とが連結されていることによって、ヘッド全体の強度を高めることができる点で好ましい。
【００１８】
図２に示したように、前記パークゴルフ用クラブヘッド本体１の底面の少なくとも一部、好ましくはシャフト取付穴５部分を除いた底面全体にソールプレート７を被覆形成すると共に、該ソールプレートの少なくとも一部をフェース面まで延出させることが好ましい。この場合、前記延出部７ａの数、形状については、特に制限はないが、図１，３に示したように、延出部７ａは指先形状のものを２箇所以上設けることが好ましく、この延出部７ａをビス８でフェース面に止めて固定することができる。
【００１９】
前記フェース面まで延出させたソールプレートの延出部７ａを介してフェースプレート９がフェース面２に取り付けられていることが好ましい。
この場合、前記延出部７ａをフェース面の中央付近まで延出させることが、ヘッドフェース面の耐衝撃性を向上させる点で好ましい。
前記延出部７ａのフェース部への取付方法としては、特に制限はなく、目的に応じて適宜選択することができ、例えば、ビスや木ねじによる取付方法、接着剤による取付方法、ビスや木ねじと接着剤とを併用した取付け方法などが挙げられる。
なお、フェース面の反対側におけるソールプレートの一部を延出させて延出部７ｂを形成し、これにより、ソールプレートをヘッド本体に取り付けることができる。
【００２０】
前記フェースプレートとしては、特に制限はなく、目的に応じて適宜選定することができ、例えば、ＦＲＰ、炭素強化繊維樹脂（ＣＦＲＰ）、ＡＢＳ樹脂、ポリエステル樹脂、ポリカーボネート樹脂等の合成樹脂、などを用いることができる。
【００２１】
前記ソールプレート及びシャフト取付穴を構成する管状部材が同じ材料を用いて一体成形することにより、ソールプレートとシャフト取付穴とが一体となり強固なものが製造できる。また、ソールプレートとシャフト取付穴とが同じ材料であるとそれぞれ別体で製造した後、両者を溶接することができるので、製造効率及びコストの点で好ましい。
前記ソールプレート及びシャフト取付穴は、例えば、真鍮、アルミニウム、ステンレス、チタン、又はこれらの合金等の金属材料を用いて、鋳造、鍛造及び切削などの機械加工等により形成することができる。
【００２２】
前記ソールプレート及びシャフト取付穴を構成する管状部材が異なる材料を用いて形成され、両者を連結させることが低重心等の重心位置設計をする観点から好ましい。
例えば、ソールプレートを真鍮製とし、シャフト取付穴をアルミニウム合金製とし、これらをネジ山を切って嵌合させることにより連結することができる。
【００２３】
本発明のパークゴルフ用クラブは、シャフトをクラブへッド本体に設けられたシャフト取付穴に挿着することにより製造される。前記挿着の際には、エポキシ系、アクリル系等の接着剤を用いることが好ましい。
前記シャフトとしては、特に制限はなく、普通に用いられているものの中から適宜選定することができ、例えば、合板等の木製、スチール等の金属製、ＦＲＰ、炭素強化繊維樹脂（ＣＦＲＰ）等の繊維強化樹脂製、などのシャフトを用いることができる。
【００２４】
この場合、前記ＦＲＰやＣＦＲＰ製のシャフトは、ガラス繊維、カーボン繊維等とそれを接着する樹脂からなるプリプレグシートを積層して作製される。このような樹脂は常温で硬化せず、１２０℃〜１４０℃で２〜３時間処理することで硬化する。このため、前記ＦＲＰやＣＦＲＰ製のシャフトでは、ヘッドと接着させる際に常温で硬化するタイプの接着剤を使用することが好ましく、例えば、常温で１分〜１２時間、特に常温で５分〜１時間で硬化するタイプの接着剤が好ましい。
【００２５】
なお、図１及び図３中１２は、ソケットであり、セルロイド等の合成樹脂により形成されている。このソケット１２により、外観性が向上すると共に、ソケットの緩衝作用によりシャフトの強度を維持することができる。
【００２６】
本発明のパークゴルフ用クラブは、上記構成を採用したことから、クラブヘッド本体からシャフトを、クラブヘッド本体を壊すことなく取り外すことができ、シャフトを交換することが可能である。
【００２７】
具体的には、中空のカーボンシャフトを用いた場合には、ヘッド本体の底面側から鉄の棒を加熱してシャフト内空に挿入し、接着剤を溶解等させた状態で、シャフトをヘッドから引き抜くことによって、クラブヘッド本体からシャフトを取り外すことができる。これにより、従来は困難であったシャフト交換を容易に行うことができ、ユーザーの要望に柔軟に応えることができる。
【００２８】
なお、本発明のパークゴルフ用クラブは、重さ６００ｇ以下、長さ８６ｃｍ以下、ヘッドは木質（打球面は合成樹脂などで補強しても構わない）という国際パークゴルフ協会（ＩＰＧＡ）規則に従って作成される。
【００２９】
以上、本発明のパークゴルフ用クラブについて詳細に説明したが、本発明は上記実施の形態に限定されず、本発明の要旨を逸脱しない範囲で種々変更しても差支えない。例えば、パークゴルフ用クラブのヘッド本体の木質面に保護用の透明なコーティング層を設けることができる。
【００３０】
【発明の効果】
以上説明したように、本発明によれば、シャフト取付穴がパークゴルフ用クラブヘッド本体の底面まで貫通する管状に形成され、該管状のシャフト取付穴にシャフトを挿着することによって、パークゴルフ用クラブヘッドからシャフトが抜けることを確実に防止でき、かつクラブヘッドのフェースの耐久性を向上させることができると共に、ユーザーの要望に応じてシャフトの交換が可能なパークゴルフ用クラブを提供することができる。
【図面の簡単な説明】
【図１】図１は、本発明のフェースプレートを外した状態のパークゴルフ用クラブの一例を示す斜視図である。
【図２】図２は、本発明のフェースプレートを着けた状態のパークゴルフ用クラブのヘッド部分の概略断面図である。
【図３】図３は、本発明のフェースプレートを外した状態のパークゴルフ用クラブのヘッド部分の正面図である。
【図４】図４は、本発明のフェースプレートを着けた状態のパークゴルフ用クラブのヘッド部分の底面図である。
【図５】図５は、従来のパークゴルフ用クラブの一例を示す斜視図である。
【図６】図６は、図５のパークゴルフ用クラブにおけるヘッドの断面図である。
【符号の説明】
１    クラブヘッド本体
２    フェース面
３    シャフト
４    木質部
５    シャフト取付穴
７    ソールプレート
７ａ  延出部
８    ビス
９    フェースプレート
１０    パークゴルフ用クラブ
１２    ソケット
【図１】
2004159915.tif 000003
【図２】
2004159915.tif 000004
【図３】
2004159915.tif 000005
【図４】
2004159915.tif 000006
【図５】
2004159915.tif 000007
【図６】
2004159915.tif 000008